(57)【要約】ワイヤレスネットワークセグメントを介して情報を効率的に送信するシステムと方法が提供される。例示的方法（６００）には、送信機を介してデジタルフロントホールデータを一般情報と無線信号情報に分離するステップ（６０５）と、ワイヤレスネットワークセグメントを介して一般情報を第１の通信チャネルにより送信機から受信機に送信するステップ（６２０）と、ワイヤレスネットワークセグメントを介して無線信号情報を第２の通信チャネルにより送信機から受信機に送信するステップ（６１５）と、を含む。【選択図】図６
2015522961.tif 000002
【特許請求の範囲】
【請求項１】
ワイヤレスネットワークセグメントを介して効率的に情報を送信する方法であって、
送信機（２，５）を介してデジタルフロントホールデータを一般情報と無線信号情報に分離するステップ（５１，６０５）と、
前記ワイヤレスネットワークセグメントを介して前記一般情報（７５）を第１の通信チャネル（５２）により前記送信機から受信機（３ａ，６ａ，３ｂ，６ｂ）に送信するステップ（６２０）と、
前記ワイヤレスネットワークセグメントを介して前記無線信号情報（７１，７２，７３，７４）を第２の通信チャネル（５３）により前記送信機から前記受信機に送信するステップ（６１５）と、
を含んでなることを特徴とする方法。
【請求項２】
前記分離するステップは、前記無線信号情報を変調して複数の無線周波数キャリア信号に変換するステップ（５３，６１０）と前記一般情報をデジタル的に変調するステップを含むことを特徴とする請求項１に記載の方法。
【請求項３】
前記無線信号情報は、フィルタリング、デジタルアップ変換、同相直交（ｉｎ−ｐｈａｓｅ  ａｎｄ  ｉｎ−ｑｕａｄｒａｔｕｒｅ）ミキシング、ミキシング、デジタルアナログ変換、及びこれらの組合せを使用して前記複数の無線周波数キャリア信号に変換されることを特徴とする請求項２に記載の方法。
【請求項４】
ワイヤレスネットワークにおいて使用される少なくとも１つの無線アクセス技術プロトコルを使用して前記無線信号情報を処理するステップをさらに含むことを特徴とする請求項１に記載の方法。
【請求項５】
前記ワイヤレスネットワークセグメントを介して前記無線信号情報を前記第２の通信チャネルにより前記送信機から前記受信機に送信する前に、前記無線信号情報の少なくとも一部分をバッファに格納するステップをさらに含むことを特徴とする請求項１に記載の方法。
【請求項６】
前記ワイヤレスネットワークセグメントを介して前記一般情報を前記第１の通信チャネルにより前記送信機から前記受信機に送信する前に、前記一般情報の少なくとも一部分をバッファに格納するステップをさらに含むことを特徴とする請求項１に記載の方法。
【請求項７】
前記分離するステップは、
前記デジタルフロントホールデータのデジタルプロトコルフレームを逆多重化するステップと、
前記一般情報に関連付けられたワードと前記無線信号情報に関連付けられたワードを決定するステップと、
前記ワードを決定するステップに基いて前記一般情報を前記無線信号情報から分離するステップと、を含むことを特徴とする請求項１に記載の方法。
【請求項８】
前記無線信号情報に関連付けられたワードを無線周波数キャリア信号に変換するステップをさらに含むことを特徴とする請求項７に記載の方法。
【請求項９】
前記無線周波数キャリア信号から前記無線信号情報に関連付けられたワードを再現するステップをさらに含むことを特徴とする請求項８に記載の方法。
【請求項１０】
前記ワードがフィルタリング、デジタルダウン変換、同相直交（ｉｎ−ｐｈａｓｅ  ａｎｄ  ｉｎ−ｑｕａｄｒａｔｕｒｅ）ミキシング、ミキシング、デジタルアナログ変換、及びこれらの組合せを使用して再現されることを特徴とする請求項９に記載の方法。
【請求項１１】
前記デジタルプロトコルフレームを回復するために、前記無線信号情報に関連付けられたワードと前記一般情報に関連付けられたワードを多重化するステップをさらに含むことを特徴とする請求項８に記載の方法。
【請求項１２】
前記デジタルフロントホールデータを再現するために、前記デジタルプロトコルフレームを多重化するステップをさらに含むことを特徴とする請求項１１に記載の方法。
【請求項１３】
前記デジタルプロトコルフレームから不要なデータを取り除くステップをさらに含むことを特徴とする請求項７に記載の方法。
【請求項１４】
前記送信機と前記受信機の間で同期情報を送信するステップをさらに含むことを特徴とする請求項１に記載の方法。
【請求項１５】
前記無線信号情報と前記一般情報を前記デジタルフロントホールデータに再集合させるために、前記同期情報を利用するステップをさらに含むことを特徴とする請求項１４に記載の方法。
【請求項１６】
前記一般情報を送信する前に、前記一般情報を処理するステップをさらに含むことを特徴とする請求項１に記載の方法。
【請求項１７】
大容量ワイヤレス通信システムであって、無線周波数ユニット（ＲＦＵ）（３ａ，３ｂ）と通信可能に結合されたベースバンドユニット（ＢＢＵ）（２）を含み、前記ＢＢＵと前記ＲＦＵの中の少なくとも一つは、デジタルフロントホールデータを一般情報と無線信号情報に分離し、ワイヤレスネットワークセグメントを介して前記一般情報を第１の通信チャネルにより送信し、前記ワイヤレスネットワークセグメントを介して前記無線信号情報を第２の通信チャネルにより送信するように構成されることを特徴とするシステム。
【請求項１８】
前記ＢＢＵが前記無線信号情報をキャリアイメージに逆多重化する逆多重化装置を含むことを特徴とする請求項１７に記載のシステム。
【請求項１９】
前記ＲＦＵがキャリアイメージを前記無線信号情報に多重化する多重化装置を含むことを特徴とする請求項１７に記載のシステム。
【請求項２０】
関連付けられた無線アクセス技術プロトコルに基いて前記キャリアイメージを適合させる前記ＲＦＵと通信可能に結合されたＲＦＵ結合モジュールをさらに含むことを特徴とする請求項１９に記載のシステム。
【請求項２１】
前記ＢＢＵが前記ワイヤレスネットワークセグメントを介して前記無線信号情報を第２の通信チャネルにより第２のＲＦＵに送信することを特徴とする請求項１７に記載のシステム。
【請求項２２】
前記ＲＦＵが前記ＲＦＵ結合ユニットによって受信された制御情報を使用して制御されることを特徴とする請求項１９に記載のシステム。
【請求項２３】
ワイヤレスネットワークセグメントを介して情報を効率的に送信するための情報変換の方法であって、
送信機を介して、デジタルフロントホールデータを一般情報と無線信号情報に分離するステップと、
前記無線信号情報を複数の無線周波数キャリア信号に変換するステップと、
前記一般情報をデジタル的に変調するステップと、を含んでなることを特徴とする方法。
【発明の詳細な説明】
【技術分野】
【０００１】
本発明は、大容量ワイヤレス通信の方法とシステムに係り、一般的には、デジタルフロントホール（ｆｒｏｎｔｈａｕｌ）データを無線信号情報と一般情報に分離することによって、ワイヤレスネットワークセグメントを介してデータを効率的に送信する大容量ワイヤレス通信の方法とシステムに関する。
【背景技術】
【０００２】
有線ネットワークを介してデータを送信する場合には、ファイバ回路網を使用する場合のように、大容量高速度データ送信が可能となる。残念なことに、有線ネットワークにおいては地理的広がりに限界があると言える。ワイヤレスネットワークは有線ネットワークを使用できない場所へのデータ送信を可能とする。ワイヤレスネットワークは帯域幅が制限されており、現在のところ有線ネットワークにより可能となっている程度のデータ送信の容量と速度を提供していない。
【発明の概要】
【発明が解決しようとする課題】
【０００３】
本発明の目的は、ワイヤレスネットワークセグメントを介してデータを効率的に送信する大容量ワイヤレス通信の方法とシステムを提供することにある。
【課題を解決するための手段】
【０００４】
いくつかの実施形態によれば、本発明は、ワイヤレスネットワークセグメントを介して情報を効率的に送信する方法に関する。本方法は以下のステップを含む。（ａ）送信機を介して，デジタルフロントホールデータを一般情報と無線信号情報に分離するステップ、（ｂ）前記ワイヤレスネットワークセグメントを介して前記一般情報を第１の通信チャネルにより前記送信機から受信機に送信するステップ、（ｃ）前記ワイヤレスネットワークセグメントを介して前記無線信号情報を第２の通信チャネルにより前記送信機から前記受信機に送信するステップ。
【０００５】
いくつかの実施形態によれば、本発明は、大容量ワイヤレス通信システムに関する。本システムは無線周波数ユニット（ＲＦＵ）と通信可能に結合されたベースバンドユニット（ＢＢＵ）を含み、前記ＢＢＵと前記ＲＦＵの中の少なくとも一つは、デジタルフロントホールデータを一般情報と無線信号情報に分離し、ワイヤレスネットワークセグメントを介して前記一般情報を第１の通信チャネルにより送信し、前記ワイヤレスネットワークセグメントを介して無線信号情報を第２の通信チャネルにより送信するように、構成される。
【０００６】
いくつかの実施形態によれば、本発明は、ワイヤレスネットワークセグメントを介して効率的に送信するために、情報を変換する方法に関する。本方法には以下のステップが含まれる。（ａ）送信機を介して，デジタルフロントホールデータを一般情報と無線信号情報に分離するステップ、（ｂ）無線信号情報を複数の無線周波数キャリア信号に変換するステップ、（ｃ）一般情報をデジタル的に変調するステップ。
【発明の効果】
【０００７】
本発明によればデジタルフロントホールデータを一般情報と無線信号情報に分離して各々、第１、第２の通信チャネルによりワイヤレスネットワークセグメントを介して送信するので、データを効率的に送信できる。
【図面の簡単な説明】
【０００８】
添付の図面によって本発明の特定の実施の形態を説明する。当然のことながら、これらの図面は必ずしも正確な縮尺通りでなく、本発明を理解するために必要ではない詳細な説明、あるいは他の細かな部分を理解困難にするような詳細な説明は省略されうる。当然のことながら、本発明は本明細書で説明される特定の実施形態に必ずしも限定されない。
【０００９】
【図１】は本発明による情報送信方法を実施するための基地局構造の概略図である。
【図２】は図１の基地局の２つのユニット間での情報の送信を示す概略図である。
【図３】は図１の基地局の２つのユニット間での情報の送信を示す概略図である。
【図４】は送信機レベルにおける本発明による情報送信の概略図である。
【図５】は受信機レベルにおける本発明による情報送信の概略図である。
【図６】は情報送信の例示的方法を示すフローチャートである。
【図７】は情報送信の例示的方法を示すフローチャートである。
【図８】は本発明による実施形態を実行するために使用されうる例示的なコンピュータシステムを示す。
【図９】は本発明によるフロントホールモジュールの例示的な機能的実行状態を示す。
【図１０】は本発明によって構成された別の例示的なフロントホールモジュールを示す。
【発明を実施するための形態】
【００１０】
本発明は多くの異なる形態による実施形態を可能とするが、図により示され、本明細書に詳細に記載されるいくつかの特定の実施形態において、当然のことながら本開示は、本発明の原理の例示と考えられるべきであり、本発明はここに示された実施例に限定されない。
【００１１】
当然のことながら、本明細書に記載の、同様の又は類似の要素及び／又は構成部分は図面では同様の参照番号が付されうる。さらに当然のことながら、いくつかの図は本発明の単なる概略図である。そのため、明確に図示するために、いくつかの構成部分は実際の縮尺を正確に反映していない。
【００１２】
一般的には、本発明は、例えば基地局（“ＢＳ”）のようなワイヤレスネットワークアセンブリ内において、１つ以上のベースバンドユニット（“ＢＢＵ”）と１つ以上の無線周波数ユニット（“ＲＦＵ”）の間の大容量ワイヤレス通信を提供できる。ＢＢＵとＲＦＵは、双方向性トランスポートインタフェースを通して、相互にデジタル方式で通信する。基地局（ＢＳ）に関連付けられたアンテナによって送受信されうるキャリアデータを表す信号（以下、無線周波数キャリア信号という）は、同相／直交（ｉｎ＿ｐｈａｓｅ／ｉｎ＿ｑｕａｄｒａｔｕｒｅ）を表す“Ｉ／Ｑ”として知られるフォーマットで送られる。キャリアデータを表さない他の情報もまたＢＢＵとＲＦＵの間で通信されうる。これらの２種類の情報は一般的にはデジタルフロントホールデータに多重化される。場合によっては本明細書記載の方法により実行されるシステムはＩ／Ｑコード化されたキャリアデータを直接、ＲＦキャリアとして（即ち、アナログフォーマットで）出力することもあるが、そのようなシステムが、本信号をアナログデータとして出力する前に本データがＩ／Ｑ量子化データとしてデジタル的にコード化される内部インタフェースを具備することを、当業者ならば認識されよう。
【００１３】
より具体的には、ＢＢＵとＲＦＵは何らかのインタフェース（例えば、標準化され且つ承認されたオープンプロトコル、専用（ｐｒｏｐｒｉｅｔａｒｙ）プロトコル、又はそれらの組合せ）を使用して通信可能に結合され得る。ある実施形態においては、ＢＢＵとＲＦＵの間で使用されるプロトコルは光ファイバ又は他のタイプの有線結合によってＢＢＵとＲＦＵとの間のデジタルフロントホールデータの双方向通信を促進する。ある実施形態においては、“Ｉ／Ｑ”データ以外の様々な種類の情報、例えば制御、コマンド、同期、及びその他のデータを含む（これらに限定されない）一般情報を伝送するために時分割多重化方式が使用される。一方、無線信号情報（“無線信号”、“無線情報”、“無線周波数情報”、“トラフィックデータ”、“Ｉ／Ｑ無線信号（情報）”、又は“Ｉ／Ｑデータ”、ともいう）は、無線周波数キャリア信号の形に変換されて、基地局に関連付けられた様々なアンテナによって送受信される。
【００１４】
これらのプロトコルは本質的に完全にデジタルであり得、それらのスループットはおよそ、６００Ｍｂｐｓ（ｍｅｇａｂｉｔｓ／ｓ）以上、１０Ｇｂｐｓ（ｇｉｇａｂｉｔｓ／ｓ）以下の範囲となり得る。これらのプロトコルの構造は一般的には、一般情報を表す一定量のワードとＩ／Ｑデータを表す一定量のワードを含む。場合によっては、一般情報を表すワードの量はＩ／Ｑデータを表すワードの量より少ない。
【００１５】
通常、Ｉ／Ｑデータと一般情報の両方を伝送するために、Ｉ／Ｑデータ（例えば無線信号情報）は全体としてデジタル形式で送信される。デジタルストリーム及び／又は多重送信は、そのスループット率を徐々に増加させるように、システムによって取り扱われている。例えば現在、およそ数十ｇｉｇａｂｉｔｓ／ｓ程度のデジタルストリームが、例えば３Ｇ／４Ｇ、ＬＴＥ（Ｌｏｎｇ  Ｔｅｒｍ  Ｅｖｏｌｕｔｉｏｎ）、ＬＴＥ−Ａｄｖａｎｃｅｄのような無線アクセステクノロジのＩ／Ｑデータに対応して送信される。
【００１６】
その殆ど無限の容量のため、光ファイバメディアがＩ／Ｑデータを送信するために使用され得る。別のソリューションでは、デジタルＩ／Ｑデータ及び／又は一般データを、ワイヤレスネットワークを使用して送信することが意図される。１つのソリューションでは無線電波を使用することが意図される。このソリューションではその全体構造（例えばＩ／Ｑデータ及び一般データの両方）を伝送するために大きなスループット率が必要とされ、そのため相当に大きな帯域幅の利用又は巧妙な変調が必要となり得る。これらの代表的な方法は欧州特許第１５３４０２７号明細書により詳しく記載されている。もう１つのソリューションは米国特許出願公開第２００３−０２７５９７号明細書に記載されているように光波の利用を意図する。これら２つのワイヤレスシステムは共に、ＢＢＵモジュールをＲＦＵ無線通信に接続するためのデジタルソリューションを提案しているが、これらのシステムは、これらのシステムが必要とするスループット（例えばフロントホール）が非常に大きなものとなるという事実（これに限られない）を含む欠点を有する。
【００１７】
本発明の有利な効果として、本発明は、年時とともに絶えず発展し増大するＩ／Ｑデータの完全な送信を確実なものとしながら、ＢＢＵとＲＦＵの間のスループットの大きさを相当に減少させることを実現するように、ワイヤレスシステムを利用した情報の送信を可能とする。本発明のこうした利点、またその他の利点は、以下において図面を参照しながらより詳しく説明される。
【００１８】
まず、本発明のいくつかの態様を実施するための例示的な構成を示す図１を参照する。基地局（ＢＳ）１はコアネットワーク（ＣＮ）と通信可能に結合されて、デジタルフロントホールデータを送受信するベースバンドユニット（ＢＢＵ）２を含むものとして示される。ＣＮは、公共電話（ＰＳＴＮ）又はデータネットワークとの通信可能な結合を管理する。ＢＢＵ（２）は、デジタルフロントホールデータの送受信を可能にする何れかの好適なパス又はチャネルを介して、ＢＢＵ接続ユニット５と通信可能に結合される。
【００１９】
ＢＳ（１）はまた、例えば無線周波数ユニット（ＲＦＵ）３ａ及び３ｂのような一連の無線周波数ユニット３を含む。この例では、２つのＲＦＵが存在している。１つの例では、ＲＦＵ（３ａ）は、アナログ又は混合アナログ伝送とデジタル伝送を可能としうるミックス通信チャネル９によって、ＲＦＵ結合モジュール６ａと通信可能に結合される。
別の例においては、ＲＦＵ（３ｂ）は、デジタル通信チャネル２２によってＲＦＵ結合モジュール６ｂと通信可能に結合される。ある実施形態においては、ＲＦＵ（３ａ）は第１の通信パス１０ａによってアンテナ４ａに通信可能に結合され、ＲＦＵ（３ｂ）は、第２の通信パス１０ｂによってアンテナ４ｂに通信可能に結合される。ＢＢＵ結合モジュール５は、“ワイヤレスネットワークセグメント”とも称されるワイヤレス通信チャネル７ａ又は７ｂを介して、全てのＲＦＵ結合モジュール６ａ及び６ｂとさらに通信を行なう。
【００２０】
図１、図２、図４、図５は、図１のシステムを使用して情報を送信するための例示的なシステムと方法を示す一群の図面である。いくつかの実施形態によれば、ＢＢＵ（２）はコアネットワークＣＮと、本願の開示に関連する分野の当業者において知られる方法により通信可能に結合される。
【００２１】
ＢＢＵ（２）はＢＢＵ結合ユニット５を使用してＲＦＵ（３ａ）又はＲＦＵ（３ｂ）のうち少なくとも１つと通信し、ＢＢＵ（２）は、デジタル通信チャネル８を介してＢＢＵ結合ユニット５に通信可能に結合されている。ＢＢＵ結合ユニット５とＢＢＵ（２）は別々のデバイスとして示されているが、ある場合においては、ＢＢＵ結合ユニット５とＢＢＵ（２）は同一のデバイス内に統合（集積）される。
ある実施形態においては、デジタルフロントホールデータのデジタルプロトコルフレーム８０は、デジタル通信チャネル８を使用しＢＢＵ結合ユニット５を介して、ＢＢＵ（２）とＲＦＵ（３）の間で送受信される。注目すべきことは、デジタルプロトコルフレーム８０は、２つのタイプの情報に関連する一連のワード、即ち、（ａ）一般情報に対応するワード及び（ｂ）“Ｉ／Ｑ”無線信号情報に対応するワード、を含むことである。本方法はデジタルフロントホールデータに含まれる情報の基本的な２つのタイプを区別するために“ワード”の使用が意図されているが、本システムは本発明に合わせて使用可能な他の何れかの区別化のための用語を使用して、情報のタイプを区別するよう構成される。
【００２２】
一般的には、情報を送信する方法は、デジタルフロントホールデータをＩ／Ｑデータと一般データを含む２つの基本的なデータタイプに分離することを含む。ある場合には、デジタルフロントホールデータを分離することは、デジタルプロトコルフレーム８０を評価することによってデジタルフロントホールデータを逆多重化することを含む。
【００２３】
別の方法においては、情報を送信する方法は、アナログＲＦ信号と一般データに分離し、２つの異なるチャネルで送信することを含む。
【００２４】
デジタルプロトコルフレームは、それぞれのデジタルプロトコルフレーム８０において、一般情報に関連するワードとＩ／Ｑ無線信号に関連するワードとを区別するために評価される。
【００２５】
詳細には、デジタルプロトコルフレーム８０に含まれるデータは、ＢＢＵ結合モジュール５の逆多重化モジュール５１において逆多重化される。ＢＢＵ結合モジュール５は、次いで、アンテナ５０を使用し、ワイヤレス通信チャネル７を介して逆多重化された情報タイプを送信する。さらに具体的には、デジタルプロトコルフレーム８０は、一般情報と無線周波数情報（＝無線信号情報）に分離される。
一般情報は逆多重化モジュール５１によってプロトコルフレーム８０から抽出された後、第１の通信チャネルをなすデジタル変調モジュール５２によって、デジタル変調された一般情報７５として発信される。一方、無線周波数情報は逆多重化モジュール５１によってプロトコルフレーム８０から抽出された後、第２の通信チャネルをなす変換モジュール５３によって、さらにキャリアイメージとも称される無線周波数キャリア信号７１乃至７４を構成するべき情報に分割され、適宜に変換されて無線周波数キャリア信号７１乃至７４として発信される。
【００２６】
一般情報に関連するワードは、デジタル変調を使用しワイヤレス通信チャネル７を通じて送信される。Ｉ／Ｑ無線信号（＝無線信号情報）に関して注目すべきは、Ｉ／Ｑ無線信号は結局のところ基地局１に関連付けられたアンテナ４による送信又は受信のためのキャリア（の特性）を表すことである。基地局１は、移動電話と、ＢＳ（１）、即ち、基地局１自身のアンテナ４（４ａ、４ｂで例示）との間の通信を可能とする、無線アクセスインタフェースによって必要とされる適切な技術（無線アクセス技術、あるいは“ＲＡＴ”）を用いて、Ｉ／Ｑ無線信号を処理する。
【００２７】
次いで、ＢＢＵ結合モジュール５は、Ｉ／Ｑ無線信号に関連するワードを一連の無線周波数キャリア信号に分割するように構成される。デジタルプロトコルフレーム８０に含まれるＩ／Ｑ無線信号に属する情報はワイヤレス通信チャネル７を通じてＢＢＵ結合モジュール５によって無線周波数キャリア信号７１，７２，７３，７４として送信される。
【００２８】
当然のことながら、ワイヤレス通信チャネル７によって使用されるＩ／Ｑ無線信号の送信は、キャリアのための１つ以上のＲＦＵ（３）と前記ＲＡＴによって実施され、ＲＦＵ（３）と関連付けられたアンテナ４によって送受信されるのと類似の無線アクセス技術に基づく。例えば、Ｉ／Ｑ無線信号を送信するために使用される無線技術は、ワイヤレス媒体のさまざまなパフォーマンス特性に関して、ワイヤレス通信チャネル７によるデータ送信の効率を高めうる。これらのパフォーマンス特性には、見通し内伝搬（ｌｉｎｅ  ｏｆ  ｓｉｇｈｔ  ｐｒｏｐａｇａｔｉｏｎ）、ポイント・ツー・ポイント・トポロジ（ｐｏｉｎｔ−ｔｏ−ｐｏｉｎｔ  ｔｏｐｏｌｏｇｙ）、下部干渉（ｌｏｗｅｒ  ｉｎｔｅｒｆｅｒｅｎｃｅ）などが含まれるが、これに限られない。
【００２９】
Ｉ／Ｑ無線信号に関連するワードは、例えばフィルタリング、デジタルアップコンバージョン（ｄｉｇｉｔａｌ  ｕｐ  ｃｏｎｖｅｒｓｉｏｎ）“ＤＵＣ”、Ｉ／Ｑミキシング、ミキシング、デジタル／アナログ変換などの当業者において知られた技術を使用して無線周波数キャリア信号７１，７２，７３，７４に変換される。
【００３０】
有利には、無線周波数キャリア信号の形態でＩ／Ｑ無線信号を送信することは、アンテナ４によって送受信されるＩ／Ｑ無線信号の品位（ｉｎｔｅｇｒｉｔｙ）、キャリア“イメージ”、ＲＡＴが、ワイヤレス通信チャネル７の全体パフォーマンスに関して十分に維持されるので、ＢＳ（１）のオペレータのＲＡＴによって提案されるスループット率において透明となりうる。ある場合には、無線周波数キャリアの形態でＩ／Ｑ無線信号を送信することは、不透明な様態で遂行されうる。
【００３１】
さらに、ワイヤレス通信チャネル７に必要な帯域幅は、ＲＦＵ（３）に関連付けられたアンテナ４を用いる送受信に関連付けられたＲＡＴによって定義され得る。
【００３２】
最終的結果として、それぞれのデジタルプロトコルフレーム８０のための一連の無線周波数キャリア信号７１，７２，７３，７４はワイヤレス通信チャネル７を通じて送信され、１つ以上のデジタル変調が一般情報プロトコル要素を送信するために使用される。一連の無線周波数キャリア信号７１，７２，７３，７４とデジタル変調された一般情報７５は、次いで、アンテナ６０を使用したＲＦＵ結合モジュール６によって受信される。
【００３３】
次に、ＲＦＵ結合ユニット６ｂは、前に分離されたデータ（Ｉ／Ｑ無線信号と一般情報）からデジタルフロントホールデータを再集合させる。情報を送信するための例示的な方法は、さらに、一連の無線周波数キャリア信号７１，７２，７３，７４をＩ／Ｑ無線信号情報を表す一連のワードに変換することを含む。再度、フィルタリング、デジタルダウンコンバージョン（ｄｉｇｉｔａｌ  ｄｏｗｎ  ｃｏｎｖｅｒｓｉｏｎ）“ＤＤＣ”、Ｉ／Ｑミキシング、ミキシング、デジタル／アナログ変換などの当業者において知られた技術が使用される。デジタル変調された一般情報７５が、予め確立されたプロトコルに従ってＲＦＵ（３ｂ）によって使用される。
【００３４】
より具体的には、この方法は、一連の無線周波数キャリア信号７１，７２，７３，７４を、Ｉ／Ｑ無線信号の内容を表す一連のワードに変換ユニット６３により変換することと、デジタル変調された一般情報７５を復調器６１により一般情報を表すワードに復調することを含む。一連のワードは、前に逆多重化されたデジタルプロトコルフレーム８０に対応するデジタルプロトコルフレーム２２０を再現するためにマルチプレクサ６２においてワードを再集合させることにより多重化される。デジタルプロトコルフレーム２２０は次いでデジタル通信チャネル２２を通じてＲＦＵ（３ｂ）に送信される。デジタル通信チャネル２２は、デジタルデータ及び／又はアナログデータの送信を可能とする。
【００３５】
デジタルプロトコルフレーム２２０の適切な再構築を確実なものとするために、同期情報がＢＢＵ結合モジュール５とＲＦＵ結合モジュール６ｂの間で送信され、デジタルプロトコルフレーム２２０の一般情報とＩ／Ｑ無線信号がコヒーレントな形態に戻ることを可能とする。
【００３６】
デジタルプロトコルフレーム８０（逆多重化後）、フレーム２２０（多重化後）を伝送するために通常使用されるデジタルプロトコルは、ＢＢＵ（２）とＲＦＵ（３ｂ）の間で相当大きな間隔をとることを可能とする。それ故、それらのプロトコルは有線リンク、ワイヤレスリンクにかかわらず、この大きな間隔に比例した著しい遅延を許容できる。例えば、使用される光ファイバ１０キロメートルごとに、５５マイクロ秒の遅延が観察されうる。さらに、ＲＦＵ結合モジュール６ｂ内のバッファゾーンに一般情報又はＩ／Ｑデータを一時的に格納することが可能である。これによって同期情報に基いて受信された全ての（又は相当部分の）情報の、ＲＦＵ結合モジュール６ｂによるさらにコヒーレントな処理が可能となる。
【００３７】
別の例示的な実施形態においては、無駄な情報を除去するために、デジタルプロトコルフレーム８０に役立たない情報は除去される。例えば、一杯になっていないワード、又は使用されないワードは除去される。このようにして必要な情報のみが送信され、送信するべき情報量がこれらの除去に比例して減少する。
【００３８】
図３はＲＦＵ結合モジュール６ａとＲＦＵ（３ａ）がワイヤレスリモート無線ヘッド（ＲＲＨ）２０を形成する別の例示的な実施形態を示す。ある実施形態によれば、ＲＦＵ結合モジュール６ａは、ＲＦＵ（３ａ）に関連付けられたアンテナ４ａを介した送信のために、ミックス通信チャネル９を介して無線周波数キャリア信号７１，７２，７３，７４をＲＦＵに送信する。ある実施例によれば、ＲＦＵ結合モジュール６ａは変調された一般情報７５を含むワードを多重化せず、ある場合には、ＲＦＵ結合モジュール６ａは無線周波数キャリア信号７１，７２，７３，７４をＩ／Ｑ無線信号情報に関連したワードに変換しない。従って、前述のデジタルプロトコルフレーム２２０はＲＦＵ結合モジュール６ｂによって再構築されない。あるいは、ＲＦＵ（３ｂ）に関連付けられた中継アンテナ４ｂによる送信のために、ＲＦＵ結合モジュール６ｂは、関連付けられたＲＡＴに基いて無線周波数キャリア信号７１，７２，７３，７４を適合させる。
【００３９】
ある場合には、一般情報７５はＲＦＵ結合モジュール６によって処理される（例えば、一般情報がＲＦＵ（３）に送信され、ＲＦＵ（３）がその一般情報７５を使用して制御又は管理タスクを遂行する、のではなく）。ある場合においては、アナログ通信リンクを含みうるミックス通信チャネル９に加えて、制御・管理プロセスが行なわれる別のコントロールインタフェース（例えばＡＰＩのような）がある。
【００４０】
理解されるべきことは、“処理”という用語は一般情報７５に含まれるコンテンツ制御情報に基づくＲＦ信号の変更を含み得る、ことである。
【００４１】
ある実施形態によれば、ＢＢＵ結合モジュール６ａは、例えば同じタイプの情報に関してＲＦＵ（３ａ）により遂行される動作などの多様な動作を遂行するために、一般情報７５を解釈し利用するように使用される。このようにして、完全な一般情報７５をＲＦＵ（３ａ）に送信することはもはや必要でなくなり、これによりデジタルプロトコルフレームからの情報量が減少し、さらに効率的なデータ送信が可能となる。
【００４２】
注目すべきは、上述の例示的なオペレーションにおいては、送信機として機能するＢＢＵ（２）から受信機として機能するＲＦＵ（３）の１つへとデータが送信されている。しかしながら、同様に、データは今回送信機として機能するＲＦＵ（３）の１つから、今回受信機として機能するＢＢＵ（２）へデータが送信され得る。
【００４３】
有利には、本発明は、ワイヤレス通信チャネル７を介する無線周波数キャリア信号の処理を、上述のようにスループット率（Ｍｂｉｔ／ｓ）に関してではなく、帯域幅（ＭＨｚ／帯域幅）に関して可能となし得る。その場合でも、ワイヤレス通信チャネル７は、ＢＢＵ（２）とＢＳ（１）の一連のＲＦＵ（３）とを通信可能に結合し、この構成は本発明のワイヤレス通信チャネル７で具現された技術による変調効率の恩恵を享受するデジタルソリューションを可能とする。
【００４４】
さらに、スペクトル効率は、ワイヤレス通信チャネル７に対し使用される無線アクセス技術（Ｒａｎｄｏｍ  Ａｃｃｅｓｓ  Ｔｅｃｈｎｏｌｏｇｙ）に関して透明に維持される。本発明はまた、固定局とシングルユーザの間のラインオブサイト／非ラインオブサイト（ｌｉｎｅ  ｏｆ  ｓｉｇｈｔ／ｎｏｎ−ｌｉｎｅ  ｏｆ  ｓｉｇｈｔ）“ＬｏＳ／ＮＬｏＳ”技術の固有の利点を利用できる。加えて、本方法は欧州特許第１８９５６８１号明細書に記載の方法により、異なる周波数帯域の使用によって異なる信号を送信することを可能とする。
【００４５】
場合によって、本発明は、有利に効率を増加させる、例えば多極化（ｍｕｌｔｉ−ｐｏｌａｒｉｚａｔｉｏｎ）、ラインオブサイト多重入力多重出力（ｌｉｎｅ−ｏｆ−ｓｉｇｈｔ  ｍｕｌｔｉｐｌｅ−ｉｎｐｕｔ  ｍｕｌｔｉｐｌｅ−ｏｕｔｐｕｔ）“ＬｏＳ  ＭＩＭＯ”などのような、補完的なダイバーシティ技術と適応する。
【００４６】
上述の情報送信方法とシステムは移動電話方式の分野に関するが、本発明は、例えば法執行機関と第一応答者により使用される公衆移動無線ネットワーク“ＰＭＲ”や、さらに小数を列挙するならば、無線局、アンテナ又はアクティブアンテナ及び／又はレーダーを含む無線システムなど多くのタイプの無線ネットワークに適用可能である。
【００４７】
図９は本発明によるフロントホールモジュール２７０の例示的な機能的実行状態を示す。フロントホールモジュール２７０は、例えば光ファイバ媒体を使用したデジタルインタフェース２６３を提供する。フロントホールインタフェース２６３のトラフィックはベースバンドユニットと複数の移動ワイヤレストランシーバの間で送信されるいくつかのフロントホール信号を有する多重化された信号を含んでおり、当該トランシーバは広域無線アクセスネットワークを介してお互いに通信可能に結合される。例示的な移動ワイヤレストランシーバは参照符号２６９で表される。インタフェース処理モジュール２７１は、所定の多重化アルゴリズムに従って、２つ以上のフロントホール信号（例えばフロントホール信号２６６ａ，２６６ｂ，２６７、２６８）を逆多重化し、多重化する。フロントホール信号は、その宛先である移動ワイヤレストランシーバのいくつか（サブセット）のためのフロントホール情報を含む。
フロントホール信号２６６ａは処理ユニット２７２ａに送られ（ｆｅｄ）、処理ユニット２７２ａはフロントホール信号２６６ａを、フロントホール信号２６６ａに含まれるＩ／Ｑデータから構築されるＲＦキャリア信号に分解する。ここでデジタル変調された一般制御データとデジタル変調されたユーザ情報は何れもフロントホール信号２６６ａに含まれており、完全に多重化された信号２６５を生成する。同様のプロセスがフロントホール信号２６６ｂに対して適用され、処理ユニット２７２ｂを介して完全に多重化された信号２６４を生成する。フロントホール信号２６７は移動ワイヤレストランシーバ２６９に送信され、移動ワイヤレストランシーバ２６９はフロントホールモジュール２７０の内部に統合されているか、又は、インタフェースを通じてフロントホールモジュールと通信可能に結合されている。
【００４８】
多重化信号２６５はインタフェースモジュール２７５に送られ、インタフェースモジュール２７５は光ファイバ、同軸ケーブル、銅線の何れか含む有線媒体２７６を使用する。多重化信号２６４はインタフェースモジュール２７４に送られ、インタフェースモジュール２７４はワイヤレス媒体２７７を使用する。インタフェースモジュール２７４は、多重化信号２６４を一定距離送信するための適切な性能を有する無線トランシーバ及びアンテナとして実施されうる。フロントホール信号２６８はデジタルインタフェースモジュール２７３に送られ、デジタルインタフェースモジュール２７３は大容量有線媒体２７８を使用する。このインタフェースを通過する信号は、その宛先である移動ワイヤレストランシーバにフロントホール信号を供給するべき関連フロントホール情報からなる。
【００４９】
以上の説明では一方向の信号フローだけを記載しているが、全てのインタフェースとモジュールは、個々のオペレーションが、多方向のトラフィックを取り扱うための対称的な機能を有するように、双方向の信号を処理するよう設計されている。
【００５０】
図１０は、本発明により構成された別の例示的なフロントホールモジュール２９０を示す。この場合、フロントホールモジュール２９０は、広域無線アクセスネットワーク（Ｗｉｄｅ  Ａｒｅａ  Ｒａｄｉｏ  Ａｃｃｅｓｓ  Ｎｅｔｗｏｒｋ）（例えばワイヤレスネットワーク）内に所在するベースバンドユニットから送られたデータを受信し、１つ以上の移動ワイヤレストランシーバから受信したデータをベースバンドユニットに送信する、ワイヤレスインタフェース２８８を使用する。このワイヤレスインタフェースの信号は、変調されたＲＦキャリアと、デジタル的に変調された一般制御信号と、デジタル的に変調されたユーザ情報とが多重化されたものを含む。
【００５１】
インタフェース処理モジュール２９１はワイヤレス信号を処理し、集約された（ａｇｇｒｅｇａｔｅｄ）フロントホール信号を個々のフロントホール信号に逆多重化するワイヤレストランシーバを含み、個々のフロントホール信号はフロントホール処理モジュール２９２ａ，２９２ｂ，２９２ｃ、２９２ｄ、及びインタフェースモジュール２９３に送信される。注目すべきは、以下の２つのタイプの多重化が起こりうるということである。
（１）複数のＲＲＵ（移動ワイヤレストランシーバ）宛てのいくつかのフロントホール信号の多重化、
（２）個々のフロントホール信号に対する制御情報とユーザ情報を有するＲＦキャリアの多重化と共に、ベースバンドユニット宛の移動ワイヤレストランシーバからのフロントホール信号の多重化（逆オペレーション）。
フロントホール処理モジュール２９２ａ，２９２ｂ，２９２ｃ、２９２ｄの目的は、デジタルフロントホール信号を、無線周波数キャリア信号と、デジタル的に変調された一般情報と、デジタル的に変調されたユーザ情報とが多重化されたものに変換し、多重化信号２８３，２８４，２８５、２８６のそれぞれを生じさせる．ことである。
【００５２】
本実施例においては、多重化信号２８３は移動ワイヤレストランシーバ２８９に送信され、移動ワイヤレストランシーバ２８９はデジタルワイヤレスフロントホールインタフェースを備える。そのようなインタフェースの一例は共通公衆無線インタフェース（Ｃｏｍｍｏｎ  Ｐｕｂｌｉｃ  Ｒａｄｉｏ  Ｉｎｔｅｒｆａｃｅ）“ＣＰＲＩ”標準によって与えられ、対応するシステムはリモート無線ヘッド（ＲＲＨ）あるいはリモート無線ユニット（ＲＲＵ）と称される。反対に、多重化信号２８３はまた移動ワイヤレストランシーバ２８９からのベースバンドユニット宛のアップリンク信号を搬送するために使用される。この場合、多重化信号は、移動ワイヤレストランシーバ２８９に関連したフロントホール信号のみを含んでいる。
【００５３】
本実施例では、多重化信号２８４はデジタルフロントホールインタフェースユニット２９６に供給され、デジタルフロントホールインタフェースユニット２９６は移動ワイヤレストランシーバに関連するフロントホール情報を送受信するために使用される外部デジタルフロントホールインタフェース（媒体）２８２を提供し、移動ワイヤレストランシーバはネットワークの対応する部分（即ち、このポートの“後ろ側に”）に所在する。この場合において、外部デジタルフロントホールインタフェース２８２上の信号は、移動ワイヤレストランシーバに関連するフロントホール信号を含み得る。一例として、外部デジタルフロントホールインタフェース２８２は、大容量のファイバ媒体を使用する。
【００５４】
次に、多重化信号２８５はデジタルフロントホールインタフェースユニット２９５に送信され、デジタルフロントホールインタフェースユニット２９５は移動ワイヤレストランシーバに関連するフロントホール情報を送受信するために使用される外部デジタルフロントホールインタフェース２９９を提供し、移動ワイヤレストランシーバはネットワークの対応する部分（即ち、このポートの“後ろ側に”）に所在する。この場合において、外部デジタルフロントホールインタフェース２９９上の信号は、ＲＦキャリアと、デジタル的に変調された制御情報と、有線媒体により搬送されるデジタル的に変調されたユーザ情報とが多重化されたものを含む。この場合において、外部デジタルフロントホールインタフェース２９９上の信号は、それらの移動ワイヤレストランシーバに関連するフロントホール信号のみを含んでいる。
次に、多重化信号２８６はワイヤレスフロントホールインタフェースユニット２９４に供給され、ワイヤレスフロントホールインタフェースユニット２９４は移動ワイヤレストランシーバに関連するフロントホール情報を送受信するために使用される外部ワイヤレスインタフェース２９８を提供し、移動ワイヤレストランシーバはネットワークの対応する部分（即ち、このポートの“後ろ側に”）に所在する）。この場合において、外部ワイヤレスインタフェース２９８上の信号は、ＲＦキャリアと、デジタル的に変調された制御情報と、有線媒体により搬送されるデジタル的に変調されたユーザ情報とが多重化されたものを含む。この場合において、ワイヤレスフロントホール信号２９８は、それらの移動ワイヤレストランシーバに関連するフロントホール信号を含んでもよい。一例として、ワイヤレスフロントホールインタフェース２９９は、適切に設計されたＲＦトランシーバとアンテナを含んでもよい。
【００５５】
次に、フロントホール信号２８７は、ＲＦキャリアと、デジタル的に変調された制御情報と、インタフェースモジュール２９１とワイヤレスインタフェースモジュール２９３との間を搬送されるデジタル的に変調されたユーザ情報との多重化を含む。ワイヤレスインタフェースモジュール２９３は、適切に設計されたＲＦトランシーバとアンテナを含む。この場合において、ワイヤレスフロントホール信号２８７と外部ワイヤレスインタフェース２９７上の信号はネットワークの対応する部分に所在するそれらの移動ワイヤレストランシーバに関連するフロントホール信号を含む。この場合において、デジタルフロントホールフォーマットへの変換は必要とされない。
【００５６】
図６は、ワイヤレス通信チャネルを介して情報を送信するための例示的方法６００のフローチャートである。いくつかの実施形態によれば、本方法６００は、送信側において、デジタルプロトコルフレームを使用して、デジタルフロントホールデータフローを一般情報と無線信号に分離するステップ６０５を含む。いくつかの実施形態によれば、前記分離ステップ６０５は、デジタルフロントホールデータから一般情報と無線信号を逆多重化することを含む。
【００５７】
ある場合においては、前記分離ステップ６０５において、不要データを削除してワイヤレスネットワークセグメントを介して送信されるデータ量を減少させるため、デジタルプロトコルフレームに属さない情報は除去される。この特徴によってワイヤレスネットワークセグメントの待ち時間を減少し、一方で、無線信号情報及び／又は一般情報の送信のためより多く使用できるネットワーク帯域幅を確保する。
【００５８】
さらに、本方法６００は、無線信号情報を無線周波数キャリア信号に変換（分割及び変調）するステップ６１０と、送信側から受信側に無線周波数キャリア信号を第２の通信チャネルを介して送信するステップ６１５を含む。無線周波数キャリア信号の送信は、適切な無線アクセスインタフェース技術を使用して実行される。再度、使用される無線アクセス技術は、選択された送信方法又は送信媒体との関連で最適化され、強化される。さらに、ステップ６２０は、送信側から受信側に、変調された一般情報７５を第１の通信チャネルを介して送信するステップを含む。ある場合には、送信機と受信機は、デジタル通信チャネルを使用して、お互いに通信可能に結合される。ある場合には、変調された一般情報７５は、一般情報のデジタル変調によって、ワイヤレスネットワークセグメントを介して送信される。
【００５９】
図７は、情報を送信するための例示的方法６２５のフローチャートである。注目すべきは、図６に記載の方法６００は、デジタルフロントホールデータを構成部分に分離し、ワイヤレスネットワークセグメントを介した該構成部分の送信能力を強化する、本発明による方法を特定するのに対して、図７の方法６２５は、ワイヤレスネットワークセグメントを介して送信された分離された構成部分を、デジタルフロントホールデータが再現されるように再集合させることを意図する。
【００６０】
方法６２５は、変調された一般情報７５が受信側により受信されるときに（あるいは変調された一般情報７５の受信前に）、変調された一般情報７５をデジタル的に復調するステップ６３０を含む。同様に、方法６２５は、一連の無線周波数キャリア信号を例えばＩ／Ｑデジタルデータのような無線信号情報に再変換するステップ６３５を含む。再度、無線信号情報は、デジタル信号（あるいは、ある場合にはアナログ信号）である。その延長上でステップ６３５は、ステップ６４０が、受信側によって使用されるデジタルプロトコルフレームを再構築することを可能とする。デジタルプロトコルフレームを再構築した後に、デジタルプロトコルフレームを多重化し、デジタルフロントホールデータを回復するステップ６４５を含む。注目すべきは、デジタルプロトコルフレームを評価する以降のステップにおいて、不要なデータが取り除かれた場合は、回復されたデジタルフロントホールデータは、原デジタルフロントホールデータより少ないデータを含むことである。
【００６１】
図示されてはいないが、例示的方法には、一般情報７５と無線信号情報７１乃至７４を同期させる情報を送信するステップや、一般情報と無線信号情報を同期させる前に一般情報と無線周波数情報の両方をバッファに入れるステップなどが含まれ得る。本同期は、部分的には、使用される同期情報に依拠し得る。注目すべきは、送信ステップが異なる周波数帯域で実行可能なことである。さらに、ある実施形態においては、送信機はベースバンドユニットを含み、受信機が少なくとも１つの無線周波数ユニットを含むが、その逆も可能である。
【００６２】
他の例示的方法では、一般情報の送信前に、ＢＢＵ結合モジュール５において一般情報を処理するステップを含む。“処理”という用語には、一般情報に含まれるコンテンツ制御情報に基づくＲＦ信号の修正を含むと理解されるべきである。
【００６３】
前述したように、これまでに記載した情報送信方法は移動電話通信システムの基地局（ＢＳ）に関連して記載されているが、本願の開示による情報送信方法は、当業者に知られるあらゆる好適な分野において適用可能である。
【００６４】
図８は本発明による実施形態を実行するために使用されうる例示的なコンピュータシステム７００を示す。図８のコンピュータシステム７００は、１つ以上のプロセッサ７１０とメインメモリ７２０を含む。メインメモリ７２０は、プロセッサ７１０により実行される命令とデータを部分的に格納する。メインメモリ７２０は、システム７００が作動中に実行コードを格納できる。図８のシステム７００は、大記憶容量装置７３０、携帯ストレージメディアドライブ７４０、出力装置７５０、ユーザ入力装置７６０、グラフィック表示装置７７０、その他の周辺装置７８０をさらに含んでもよい。システム７００は、ネットワーク記憶装置７４５を含んでもよい。
【００６５】
図８に示される構成要素は、単一バス７９０を介して接続されるように表現されている。構成要素は、１つ以上のデータ伝送手段を通じて接続される。プロセッサ装置７１０及びメインメモリ７２０はローカルマイクロプロセッサバスを介して結合され、大記憶容量装置７３０、周辺装置７８０、携帯ストレージ装置７４０、グラフィック表示装置７７０は、１つ以上の入出力（Ｉ／Ｏ）バスを介して接続される。
【００６６】
磁気ディスク装置又は光ディスク装置が実装される大記憶容量装置７３０は、プロセッサ装置７１０の使用のためにデータと命令を格納するための不揮発性記憶装置である。大記憶容量装置７３０は、本発明の実施形態を実行するためのシステムソフトウェアを格納でき、メインメモリ７２０にソフトウエアをロードする。
【００６７】
携帯ストレージ装置７４０は、フロッピー（登録商標）ディスク、コンパクトディスク、デジタルビデオディスクのような携帯不揮発性ストレージ媒体と共に作動し、図８のコンピュータシステム７００とデータ及びコードの入出力を行なう。本発明の実施形態を実行するためのシステムソフトウェアはそのような携帯媒体に格納され、携帯ストレージ装置７４０を介してコンピュータシステム７００に入力される。
【００６８】
入力装置７６０は、ユーザインタフェースの一部分を提供する。入力装置７６０は、英数字情報及びその他の情報を入力するためのキーボードのような英数キーパッド、又はマウス、トラックボール、スタイラスペン、カーソル方向キーのようなポインティングデバイスを含んでもよい。さらに、システム７００は、図８に示されるように、出力装置７５０を含む。適切な出力装置には、スピーカ、プリンタ、ネットワークインタフェース、モニタが含まれる。
【００６９】
グラフィック表示装置７７０は、液晶ディスプレー（ＬＣＤ）又はその他の適切な表示装置を含んでもよい。グラフィック表示装置７７０はテキスト情報とグラフィクス情報を受信し、表示装置への出力のため当該情報を処理する。
【００７０】
周辺装置７８０は、コンピュータシステムに追加的機能を付与するあらゆるコンピュータをサポートする装置を含んでもよい。周辺装置７８０は、モデム又はルータを含んでもよい
【００７１】
図８のコンピュータシステム７００に含まれる構成要素は、本発明の実施形態における使用において好適であるコンピュータシステムにおいて一般的には見出されるものであり、同業者において周知であるそのようなコンピュータの構成要素のカテゴリを広く代表することが意図されている。そのため、図８のコンピュータシステム７００は、パーソナルコンピュータ、ハンドヘルドコンピュータシステム、電話、モバイルコンピュータシステム、ワークステーション、サーバ、ミニコンピュータ、メインフレームコンピュータ、その他のコンピュータシステムでありうる。本コンピュータはまた、異なるバス構成、ネットワークプラットフォーム、マルチプロセッサプラットフォーム等を含みうる。さまざまなオペレーティングシステムが使用可能であり、これらにはＵＮＩＸ（登録商標）、Ｌｉｎｕｘ（登録商標）、Ｗｉｎｄｏｗｓ（登録商標）、Ｍａｃｉｎｔｏｓｈ  ＯＳ、Ｐａｌｍ  ＯＳ、その他のオペレーティングシステムが含まれる。
【００７２】
前記の機能のいくつかは、ストレージ媒体（例えばコンピュータ読み取り可能媒体）に格納された命令で構成される。これらの命令はプロセッサによって読み出され、実行される。ストレージ媒体の例としてあげられるのは、メモリ装置、テープ、ディスク等である。これらの命令は、本発明に従って作動するプロセッサに指示を与えるプロセッサによって実行されるとき、作動可能である。当業者には、命令、プロセッサ、ストレージ媒体は周知の事項である。
【００７３】
注目すべきは、本明細書記載の処理を実行するのに適したハードウェアプラットフォームは全て、本発明における使用において適切であるということである。”ストレージ媒体”という用語は、実行のためＣＰＵに命令を与えることに関与する全ての媒体を意味する。そのような媒体は不揮発性媒体、揮発性媒体、伝送媒体などを、これらに限らず、含む。不揮発性媒体は、固定ディスクのような、例えば光ディスク又は磁気ディスクを含む。揮発性媒体は、システムＲＡＭのような動的メモリを含む。伝送媒体は、同軸ケーブル、銅線ワイヤ、光ファイバを含み、とりわけバスの１つの実施形態を有するワイヤを含む。伝送媒体はまた、無線周波数（ＲＦ）通信及び赤外線（ＩＲ）通信中に生成されるような音波又は光波の形態をとりうる。コンピュータ読み取り可能媒体の一般的形態には、例えば、フロッピー（登録商標）ディスク、フレキシブルディスク、ハードディスク、磁気テープ、その他の磁気媒体、ＣＤ−ＲＯＭディスク、デジタルビデオディスク（ＤＶＤ）、その他の光媒体、その他のマーク又は孔のパターンを有する物理的媒体、ＲＡＭ、ＰＲＯＭ、ＥＰＲＯＭ、ＥＥＰＲＯＭ、ＦＬＡＳＨＥＰＲＯＭ、その他のメモリチップ又はデータ交換アダプタ、搬送波、コンピュータがら読み込み可能なその他の全ての媒体が含まれる。
【００７４】
コンピュータ読み取り可能媒体のさまざまな形態は、実行のためＣＰＵに与えられる１つ以上の命令の１つ以上のシーケンスの実行に関与しる。バスはデータをシステムＲＡＭに搬送し、システムＲＡＭからＣＰＵは命令を読み出し、実行する。システムＲＡＭにより受信された命令は、ＣＰＵの実行前又は実行後に任意に固定ディスクに格納される。
【００７５】
本発明の態様の作動を実行するためのコンピュータプログラムのコードは１つ以上のプログラミング言語のあらゆる組合せによって記述され、そのようなプログラミング言語はＪａｖａ（登録商標），Ｓｍａｌｌｔａｌｋ，Ｃ＋＋などのようなオブジェクト指向プログラミング言語と“Ｃ”プログラミング言語やその類似プログラミング言語のような従来型の手続型プログラミング言語を含む。本プログラムコードの実行は、スタンドアローンソフトウエアパッケージとして完全に又は部分的にユーザのコンピュータにおいて、ユーザのコンピュータとリモートコンピュータで一部分ずつあるいはリモートコンピュータ又はサーバにおいて完全に、なされる。リモートコンピュータ関与の場合は、リモートコンピュータはローカルエリアネットワーク（ＬＡＮ）又はワイドエリアネットワーク（ＷＡＮ）を含むあらゆるタイプのネットワークによりユーザのコンピュータと通信可能に結合され、あるいは外部コンピュータに接続される（例えばインターネットサービスプロバイダを使用しインターネットにより）。
【００７６】
以下の特許請求の範囲の全ての手段又はステップ・プラス・ファンクション要素に対応する構造、材料、行為、及び等価物は、具体的に記載の他の請求された要素と組み合わせて機能を実行するための任意の構造、材料、又は行為を含むことを意図している。本発明の説明は、例示および説明の目的で提示されたが、開示された形態において本発明を網羅する又は限定することを意図するものではない。多くの修正及び変形が本発明の範囲および精神から逸脱することなくなされうることは当業者には明らかであろう。例示的な実施形態は、本発明の原理とその実際の適用を最も良く説明するために選択され、記述されており、本発明が特定の目的に合わせてさまざまに改変され、さまざまの実施形態をとりうることを当業者が理解できるよう選択され記述されている。
【００７７】
本発明の態様は、本発明の実施形態による装置（システム）及びコンピュータプログラム製品のフローチャート図及び／又はブロック図を参照して上述されている。当然のことながら、フローチャート図及び／又はブロック図の各ブロック、及びフローチャート図及び／又はブロック図のブロックの組み合わせは、コンピュータプログラム命令によって実施することができる。これらのコンピュータプログラム命令は、コンピュータ又は他のプログラム可能データ処理装置のプロセッサを介して実行する命令がフローチャート及び／又はブロック図のブロック又は複数のブロックで指定された機能／行為を実施する手段を作成するように、汎用コンピュータ、専用コンピュータ、又はマシンを生成する他のプログラム可能データ処理装置のプロセッサに提供される。
【００７８】
コンピュータ、他のプログラム可能データ処理装置、又は他のデバイスに指示できるこれらのコンピュータプログラム命令はまた、コンピュータ読み取り可能媒体に格納され、コンピュータに格納された命令は、フローチャート及び／又はブロック図のブロック又は複数のブロックで特定された機能／動作を実装する命令を含む生産物を生成する。
【００７９】
コンピュータプログラム命令はまた、コンピュータ、他のプログラム可能データ処理装置、又は他のデバイスにロードされ、一連の動作ステップをコンピュータ、他のプログラム可能な装置又は他のデバイス上で実行させてコンピュータ実行プロセスを生成し、コンピュータ又は他のプログラム可能装置上で実行される命令は、フローチャート及び／又はブロック図のブロック又は複数のブロックで特定された機能／動作を実装するためのプロセスを提供する。
【００８０】
図中のフローチャート及びブロック図は、本発明のさまざまな実施形態によるシステム、方法及びコンピュータプログラム製品により実装可能なアーキテクチャ、機能、および動作を示す。この点に関して、フローチャート又はブロック図の各ブロックは、特定の論理的機能を行うための１つ以上の実行可能な命令を含むモジュール、セグメント又はコードの一部を表わす。また、注目すべきは、いくつかの代替的な実行例では、ブロックに記載の機能が図面に記載の順序を外れて発生しうることである。例えば、連続して示す２つのブロックは、実際には、実質的に同時に実行され、又はそのブロックが時には該当する機能によっては逆の順序で行われる。また注目すべきは、ブロック図および／又はフローチャート図における各ブロック及びブロック図及び／又はフローチャート図におけるブロックの組合せは、指定された機能又は動作を実行する専用ハードウェアベースのシステムによって、又は専用ハードウェアとコンピュータ命令との組み合わせによって実行されうることである。
【００８１】
さまざまな実施形態を上述したが、当然のことながら、これらは限定としてではなく、ほんの一例として、提示されている。記載内容は、本明細書に記載された特定の形態に技術の範囲を限定するものではない。従って、好ましい実施形態の広さおよび範囲は上述の例示的な実施形態の何れによっても限定されるべきではない。当然ながら、上記の説明は例示であって制限的なものではない。反対に、本記述は添付の特許請求の範囲によって定義され、あるいは当業者によって理解されるような本発明の精神および範囲内に含まれる本発明の代替、改変、および等価物をカバーすることを意図している。よって本発明の範囲は、上記の記載を参照して決定されるのではなく、添付の特許請求の範囲とその等価物の全範囲を参照して決定されるべきである。
【符号の説明】
【００８２】
１      基地局（ＢＳ）
２      ベースバンドユニット（ＢＢＵ）
３、３ａ、３ｂ      無線周波数ユニット（ＲＦＵ）
４、４ａ、４ｂ      アンテナ
５      ＢＢＵ接続ユニット、ＢＢＵ結合モジュール、ＢＢＵ結合ユニット
６、６ａ、６ｂ      ＲＦＵ結合モジュール
７、７ａ、７ｂ      ワイヤレス通信チャネル、ワイヤレスネットワークセグメント
８、２２      デジタル通信チャネル
９      ミックス通信チャネル
１０ａ、１０ｂ      第１、第２の通信パス
２０      ワイヤレスリモート無線ヘッド（ＲＲＨ）
５０、６０      アンテナ
５１      逆多重化モジュール
５２      第１の通信チャネル、デジタル変調モジュール
５３      第２の通信チャネル、変換モジュール
６１      変調された一般情報の復調器
６２      マルチプレクサ
６３      変換ユニット
７１、７２、７３、７４      無線周波数キャリア信号、Ｉ／Ｑデータ
７５      変調された一般情報
８０、２２０      （デジタルフロントホールデータの）デジタルプロトコルフレーム
２６３      デジタルインタフェース
２６６ａ，２６６ｂ，２６７、２６８      フロントホール信号
２６９、２８９      移動ワイヤレストランシーバ
２７０、２９０      フロントホールモジュール
２７１、２９１      インタフェース処理モジュール
２７２ａ、２７２ｂ      処理ユニット
２６３      光ファイバ媒体を使用したデジタルインタフェース
２６４、２６５      多重化信号
２７３      デジタルインタフェースモジュール
２７４、２７５      インタフェースモジュール
２７６      有線媒体
２７７      ワイヤレス媒体
２７８      大容量有線媒体
２８２      外部デジタルフロントホールインタフェース（媒体）
２８３、２８４、２８５、２８６      多重化信号
２８７      ワイヤレスフロントホール信号
２８８      ワイヤレスインタフェース
２９２ａ，２９２ｂ，２９２ｃ、２９２ｄ      フロントホール処理モジュール
２９３      （ワイヤレス）インタフェースモジュール
２９４      ワイヤレスフロントホールインタフェースユニット
２９５、２９６      デジタルフロントホールインタフェースユニット
２９７、２９８      外部ワイヤレスインタフェース
７００      コンピュータシステム
７１０      プロセッサ
７２０      メインメモリ
７３０      大記憶容量装置
７４０      携帯ストレージメディアドライブ
７４５      ネットワーク記憶装置
７５０      出力装置
７６０      ユーザ入力装置
７７０      グラフィック表示装置
７８０      その他の周辺装置
７９０      単一バス
【図１】
2015522961.tif 000003
【図２】
2015522961.tif 000004
【図３】
2015522961.tif 000005
【図４】
2015522961.tif 000006
【図５】
2015522961.tif 000007
【図６】
2015522961.tif 000008
【図７】
2015522961.tif 000009
【図８】
2015522961.tif 000010
【図９】
2015522961.tif 000011
【図１０】
2015522961.tif 000012
【国際調査報告】
2015522961.tif 000013
2015522961.tif 000014